(57)【特許請求の範囲】
【請求項１】
屋根構造体(1)と、当該屋根構造体(1)を支持する支脚構造体(2)を備えた木製の建築構造体であって、
板体(101)と、
板体(101)の幅方向の両端縁部に固着されている横補強部材(102,103)と、
上記板体(101)の表裏両面における横補強部材(102,103)間に渡して固着されている縦補強部材(104,105)と、
を備えた板構成体(10)を複数有しており、
当該板構成体(10)が互い違いに傾斜してジグザグ状に並設され、板構成体(10)の上部にある横補強部材(102)同士及び下部にある横補強部材(103)同士が互いに対となって密着された状態で、上部の横補強部材(102)間に上部連結部材(11)が架設され、また、下部の横補強部材(103)間にも下部連結部材(12)が架設され、隣り合う上部連結部材(11)とそれらの間にある二本の横補強部材(102)が内蔵されたアンカー(106)によって接合され、隣り合う下部連結部材(12)とそれらの間にある二本の横補強部材(103)についても内蔵されたアンカー(106)によって接合されることで、上記屋根構造体(1)は構築されており、
当該上記屋根構造体(1)を上記支脚構造体(2)で支えることにより、当該屋根構造体(1)の下方に内部空間部(3)が形成されていることを特徴とする、
建築構造体。
【請求項２】
板構成体(10)を切り欠き、切り欠いた部分を塞いで板構成体(10)の上面側が下面側に通じないようにし、板構成体(10)の方向と交差する方向に、塞いだ部分を底部とする通路(13)を設けたことを特徴とする、
請求項１記載の建築構造体。
【請求項３】
板構成体(10)が四角形状であることを特徴とする、
請求項１または２記載の建築構造体。
【発明の詳細な説明】
【０００１】
【発明の属する技術分野】
本発明は、例えば大空間を支える大屋根に用いる木製の建築構造体に関する。更に詳しくは、構造をシンプルにして工場における加工性や施工現場における施工性を向上させ、なおかつ構造体としての剛性に優れ、耐震性を向上させたものに関する。
【０００２】
【従来技術】
大空間を支える大屋根などの建築構造体の施工には、骨組構造であるトラス構造やラーメン構造が採用されている。トラス構造やラーメン構造は、力の流れに沿って部材を配置した無駄の少ない構造であるので、巨大な構造物を比較的軽量に、かつ丈夫につくることができる。
【０００３】
【発明が解決しようとする課題】
しかし、上記したようなトラス構造やラーメン構造を採用した建築構造体には次のような課題があった。すなわち、
（ａ）所要長さの直線的な構成部材を三角形状または四角形以上の多角形状に平面的あるいは立体的に組み合わせるので、極めて多数の部材を使用することになり、構造が複雑で施工性がよいとはいえなかった。また、工場であらかじめトラス構造やラーメン構造のユニットをつくる場合も加工がしにくかった。
【０００４】
（ｂ）構造体の付帯設備となる通風ダクトなどの空調設備は、構造体とは別に施工する必要があった。このため、天井を張らない場合は、下方から見て配管が露出することになり、見苦しかった。
【０００５】
（ｃ）トラス構造やラーメン構造は、骨組構造であるので、構造的に塞がれる部分がなく、特殊な場合を除き、雨を防いだり、断熱効果や遮音、消音効果を持たせるには、屋根部や天井部を必ず施工しなければならなかった。
【０００６】
（ｄ）トラス構造やラーメン構造は、骨組構造であるので、構造体及び付帯設備の施工の際には、天井部におけるあらゆる場所において足場が必要となり、足場の組み立てや分解に大変な手間がかかっていた。また、足場を使用しても作業の危険性が高いことに変わりはなく、十分な施工管理が必要であった。
【０００７】
（本発明の目的）
本発明の目的は、例えば大空間を支える大屋根などに用いる木製の建築構造体がシンプルな構造でできるようにして、施工現場における施工性及び工場における加工性を向上させるようにすることにある。
【０００８】
本発明の他の目的は、構造体の一部を屋根部や天井部あるいは通気ダクトとして兼用できるようにして施工を容易にすると共に、雨を防いだり、断熱効果や遮音、消音効果を持たせることができるようにすることにある。
【０００９】
本発明の更に他の目的は、構造体及び付帯設備の施工が足場をそれほど使用することなく安全にできるようにすることにある。
【００１０】
【課題を解決するための手段】
上記目的を達成するために講じた本発明の手段は次のとおりである。
第１の発明にあっては、
屋根構造体と、当該屋根構造体を支持する支脚構造体を備えた木製の建築構造体であって、
板体と、
板体の幅方向の両端縁部に固着されている横補強部材と、
上記板体の表裏両面における横補強部材間に渡して固着されている縦補強部材と、
を備えた板構成体を複数有しており、
当該板構成体が互い違いに傾斜してジグザグ状に並設され、板構成体の上部にある横補強部材同士及び下部にある横補強部材同士が互いに対となって密着された状態で、上部の横補強部材間に上部連結部材が架設され、また、下部の横補強部材間にも下部連結部材が架設され、隣り合う上部連結部材とそれらの間にある二本の横補強部材が内蔵されたアンカーによって接合され、隣り合う下部連結部材とそれらの間にある二本の横補強部材についても内蔵されたアンカーによって接合されることで、上記屋根構造体は構築されており、
当該上記屋根構造体を上記支脚構造体で支えることにより、当該屋根構造体の下方に内部空間部が形成されていることを特徴とする、
建築構造体である。
【００１１】
第２の発明にあっては、
板構成体を切り欠き、切り欠いた部分を塞いで板構成体の上面側が下面側に通じないようにし、板構成体の方向と交差する方向に、塞いだ部分を底部とする通路を設けたことを特徴とする、
第１の発明に係る建築構造体である。
【００１２】
第３の発明にあっては、
板構成体が四角形状であることを特徴とする、
第１または第２の発明に係る建築構造体である。
【００１３】
板構成体及び連結部材、更には補強部材の材質は、木（無垢材、集成材、合板など）またはそれらの複合体である。また、板構成体が設けられる方向は、例えば水平方向、垂直方向、傾斜方向の何れでもよく、限定されるものではない。
【００１４】
（作用）
本発明に係る建築構造体は、複数の板構成体を互い違いに傾斜させ、並べてジグザグ状に設け、上記板構成体の上部及び下部に板構成体と交差する連結部材を設け、当該連結部材で板構成体の上部同士及び下部同士を連結しているので、従来のトラス構造やラーメン構造と比較して構造がシンプルである。従って、施工現場における施工性及び工場における加工性が向上する。
【００１５】
また、複数の板構成体を傾斜させて断面Ｖ字状または逆Ｖ字状にしたものを連続的にジグザグ状に設けているので、構造体の一部である板構成体を屋根部や天井部あるいは通気ダクトとして兼用できる。
すなわち、板構成体を連続的にジグザグ状に設けたものでは、板構成体によって上下方向が塞がれている。これにより、板構成体で構成された部分は雨を防ぐ屋根部あるいは天井部としての機能を発揮できる。
【００１６】
更に、板構成体で構成された部分は、構造体を施工するとき、あるいは構造体施工後に付帯設備を施工するときに、安全な足場として利用が可能である。これにより、構造体及び付帯設備の施工が、組み立て式の足場をそれほど使用することなくでき、分解や組み立ての手間が省ける分だけ工期を短縮することが可能になる。
【００１７】
板構成体がジグザグ状になっているので、板構成体の上面側または下面側に断面三角形状の空間部が長手方向に形成される。この空間部は、空調用の通気ダクトとして使用することができる。つまり、必ずしも空調用の通気ダクトなどを構造体と別に施工する必要はなく、従来のように通気ダクトなどが下から見えてしまい見苦しいというような不都合もなくなる。
また、空間部は空気溜まりとなって、板構成体を挟む内外部における断熱効果や遮音、消音効果を発揮できる。更には、ジグザグ状になった板構成体は、下からの音響の反射効果がある。
【００１８】
複数の板構成体を傾斜させて、例えば断面Ｖ字状または逆Ｖ字状にしたものを連続的にジグザグ状に設け、更に板構成体の上下部をそれぞれ連結部材により連結しているので、シンプルな構造であるにもかかわらず、水平方向の縦横からの外力に対する強度に優れている。従って、構造体としての剛性に優れ、耐震性が向上している。
【００１９】
板構成体を切り欠き、切り欠いた部分を塞いで板構成体の上面側が下面側に通じないようにし、板構成体の方向と交差する方向に、塞いだ部分を底部とする通路を設けたものは、通路が板構成体の長手方向に設けられた空間部と交差するので、通路をそのまま隣り合う空間部をつなぐ通気ダクトとして使用することができる。また、各種の配線や配管の配線（管）路として使用することもできる。
【００２０】
板構成体が四角形状であるものは、各板構成体の水平になる端辺部が直線的になるので、各板構成体の上辺部で形成される部分及び下辺部で形成される部分が例えば水平方向に面一となる。これにより、外観の美しい建築構造体をつくることができる。
【００２１】
板構成体の上部及び下部の端辺部に沿って補強部材が設けられているものは、金属と比較して比較的強度に劣る木を使用する場合において、補強部材によって強度が向上する。
また、補強部材を他の板構成体や連結部材と連結するための連結部として利用することができるので、一般に強度が十分とはいえない板体を連結する場合と比較して連結強度が向上すると共に、様々な連結手段の採用が可能になる。
【００２２】
【発明の実施の形態】
本発明を図面に示した実施の形態に基づき更に詳細に説明する。
図１は本発明に係る建築構造体の一実施の形態を示す斜視図、
図２は図１に示す建築構造体の正面図、
図３は図１に示す建築構造体の側面図、
図４は屋根構造体の構造を示す要部拡大正面図、
図５は屋根構造体の構造を示す要部拡大側面図、
図６は図１に示す建築構造体の要部斜視図、
図７は屋根構造体の通路の構造を示す側面視説明図、
図８は屋根構造体の通路の構造を示す要部拡大斜視図である。
【００２３】
符号Ｗは建築構造体で、屋根構造体１と、屋根構造体１を支持する支脚構造体２を備えている。屋根構造体１と支脚構造体２は木製である。
【００２４】
なお、建築構造体Ｗの各部の説明において、方向に関する記載（前後、左右、上下）は、図１を基準にしている。すなわち、前はＡ方向、後はＢ方向、左はＣ方向、右はＤ方向、上はＥ方向、下はＦ方向である。
【００２５】
（屋根構造体１）
屋根構造体１は、多数の板構成体１０を備えている。板構成体１０は、長い長方形状の板体１０１を備えている。板体１０１は木製の合板で形成されている。
板体１０１の幅方向の両端部には、端縁部に沿って木製の横補強部材１０２、１０３が固着されている。
また、板体１０１の表裏両面には、横補強部材１０２、１０３間に渡して、木製の縦補強部材１０４、１０５が固着されている。縦補強部材１０４、１０５は、横補強部材１０２、１０３とは直角に、かつ板体１０１の長手方向の両端部を含み、所定の間隔かつ等間隔に設けられている。
【００２６】
板構成体１０は、長手方向を前後方向として、幅方向へ互い違いに傾斜させて左右方向にジグザグ状に並設してある。隣り合う板構成体１０の角度は、６０°に設定されている。なお、この角度は６０°に限定されるものではない。板構成体１０の上部にある横補強部材１０２同士、及び下部にある横補強部材１０３同士は、互いに対となって密着させてある。
【００２７】
隣り合う間隔が開いた上部の横補強部材１０２間には、木製の上部連結部材１１が左右方向に、かつ水平に架設されている。下部の横補強部材１０３間には、木製の下部連結部材１２が左右方向に、かつ水平に架設されている。
なお、左右方向（部材の長手方向）に隣り合う上部連結部材１１とそれらの間にある二本の横補強部材１０２は、棒状のアンカー１０６で接合されている。また、同様に左右方向に隣り合う下部連結部材１２とそれらの間にある二本の横補強部材１０３は、棒状のアンカー１０６で接合されている。
【００２８】
また、上部連結部材１１と下部連結部材１２は、板構成体１０の長手方向に等間隔で設けられている。各上部連結部材１１の間隔及び各下部連結部材１２の間隔は、板構成体１０に設けられている各縦補強部材１０４、１０５の間隔の二倍に設定されているが、同じか三倍以上でもよい。
これにより、縦補強部材１０４、１０５は、横補強部材１０２、１０３において、一本置きに上部連結部材１１及び下部連結部材１２と実質的に交わるようになっている。
【００２９】
ジグザクに並設された各板構成体１０には、左右方向の両端部の板構成体１０を除いて、左右方向に通路１３が設けられている。通路１３は、その底部が側方視でＶ字形を形成するように設けられている（図３、図８参照）。
図８を参照して詳しく説明すると、通路１３は、左右方向に並設されている各板構成体１０のうち、やや後部寄りの隣り合う上部連結部材１１の間に位置している部分をそれぞれＶ字形に切断し、切断した部分を遮蔽板１３１、１３２で塞いで形成してある。
【００３０】
遮蔽板１３１、１３２は、それぞれ三角形状で、板構成体１０の切断部に四本の接合部材１３３を介して接合されている。また、遮蔽板１３１、１３２の下部側の端辺部は、接合部材１３４を介して接合されている。接合部材１３４は、左右方向に水平に設けられており、下部連結部材１２とほぼ同じ高さに設定されている。
【００３１】
（支脚構造体２）
屋根構造体１の下部には、支脚構造体２が設けられている。支脚構造体２は、屋根構造体１の四隅に設けられた木製の支脚部２０と、各支脚部２０の間に等間隔で三本づつ設けられている木製の支柱２１を備えている。支脚部２０は、平面視でＬ字形になるように支柱２０１と筋交い２０２で組まれている。
【００３２】
各支脚部２０と各支柱２１は、屋根構造体１の下部周縁部（左右方向両端部の横補強部材１０３と前後方向両端部の下部連結部材１２）に設けられている。各支脚部２０と各支柱２１間の中段部には、水平方向に連結部材２２が架設されている。これにより、支脚構造体２は補強され、支脚構造体２で支えられた屋根構造体１の下方には、支柱のない大きな内部空間部３が形成されている。
【００３３】
（作  用）
図１ないし図８を参照して、本実施の形態に係る建築構造体Ｗの作用を説明する。建築構造体Ｗは、木製の構造体であるので、自然木特有の温かみと優美さを備えており、支柱のない大きな内部空間部３を利用して、例えば野外コンサートホールや各種催し物広場など、多目的に使用することができる。
なお、建築構造体Ｗは、屋根構造体１と支脚構造体２で形成されているが、更に支脚構造体２の下部側に屋根構造体１とほぼ同様の構造の床構造体（図示省略）を設けることもできる。この場合は、床構造体の上部に床板（図示省略）が設けられる。
【００３４】
建築構造体Ｗは、複数の板構成体１０をジグザグ状に並設し、各板構成体１０の上部及び下部を板構成体１０と交差する上部連結部材１１と下部連結部材１２により連結しているので、従来のトラス構造やラーメン構造と比較して構造がシンプルである。従って、施工現場において施工しやすく、工場でユニットをつくるときも加工が容易にできる。
また、シンプルな構造であるにもかかわらず、特に水平方向の縦横からの外力に対する強度に優れており、構造体としての剛性にも優れているので、耐震性が向上している。
【００３５】
ジグザグ状に並設された板構成体１０を有する屋根構造体１は、板構成体１０で塞がれるので、板構成体１０を屋根部や天井部として兼用できる。
また、屋根構成体１０でいわば三角柱状に形成される空間部及び通路１３を通気ダクトや付帯設備用の配線路として利用することも可能である。なお、この空間部は空気溜まりとなって、板構成体１０を挟む内外部における断熱効果や遮音、消音効果を発揮できる。更には、ジグザグ状になった板構成体１０は、下からの音響の反射効果がある。
板構成体１０で構成された部分は、建築構造体Ｗを施工するとき、あるいは構造体施工後に空調機器や照明機器などの付帯設備を施工するときに、安全な足場として利用が可能である。
【００３６】
なお、本明細書で使用している用語と表現は、あくまで説明上のものであって限定的なものではなく、上記用語、表現と等価の用語、表現を除外するものではない。また、本発明は図示されている実施の形態に限定されるものではなく、技術思想の範囲内において種々の変形が可能である。
【００３７】
【発明の効果】
本発明は上記構成を備え、次の効果を有する。
（ａ）本発明によれば、例えば大空間を支える大屋根などに用いる木製の建築構造体が、従来のトラス構造やラーメン構造と比較してシンプルな構造でできる。従って、施工現場において施工しやすく、工場でユニットをつくるときも加工が容易にできる。
また、シンプルな構造であるにもかかわらず、特に水平方向の縦横からの外力に対する強度に優れている。従って、構造体としての剛性に優れ、耐震性が向上している。
【００３８】
（ｂ）複数の板構成体を傾斜させてジグザグ状に設けているので、構造体の一部である板構成体を屋根部や天井部あるいは通気ダクトとして兼用できる。
従って、骨組みとは別に屋根や天井あるいは通気ダクトなどを施工する必要があった従来の構造体と比較して施工に無駄がなく、容易かつ迅速な施工が可能である。また、従来のように通気ダクトなどが下から見えてしまい見苦しいというような不都合もなくなる。
【００３９】
（ｃ）板構成体で構成された部分は、構造体を施工するとき、あるいは構造体施工後に付帯設備を施工するときに、安全な足場として利用が可能である。
従って、構造体及び付帯設備の施工が、組み立て式の足場をそれほど使用することなくでき、分解や組み立ての手間が省ける分だけ工期を短縮することが可能になる。
【００４０】
（ｄ）板構成体の間に設けられる空間部は空気溜まりとなって、板構成体を挟む内外部における断熱効果や遮音、消音効果を発揮できる。更には、ジグザグ状になった板構成体は、下からの音響の反射効果があるので、構造体は特にコンサートホールとしての利用に好適である。
【００４１】
（ｅ）板構成体を切り欠き、切り欠いた部分を塞いで板構成体の上面側が下面側に通じないようにし、板構成体の方向と交差する方向に、塞いだ部分を底部とする通路を設けたものは、通路が板構成体の長手方向に設けられた空間部と交差するので、通路をそのまま隣り合う空間部をつなぐ通気ダクトとして使用することができる。また、各種の配線や配管の配線（管）路として使用することもできる。従って、より無駄のない迅速な施工が可能になる。
【図面の簡単な説明】
【図１】  本発明に係る建築構造体の一実施の形態を示す斜視図。
【図２】  図１に示す建築構造体の正面図。
【図３】  図１に示す建築構造体の側面図。
【図４】  屋根構造体の構造を示す要部拡大正面図。
【図５】  屋根構造体の構造を示す要部拡大側面図。
【図６】  図１に示す建築構造体の要部斜視図。
【図７】  屋根構造体の通路の構造を示す側面視説明図。
【図８】  屋根構造体の通路の構造を示す要部拡大斜視図。
【符号の説明】
Ｗ  建築構造体
１  屋根構造体
１０  板構成体
１０１  板体
１０２、１０３  横補強部材
１０４、１０５  縦補強部材
１０６  アンカー
１１  上部連結部材
１２  下部連結部材
１３  通路
１３１、１３２  遮蔽板
１３３  接合部材
１３４  接合部材
２  支脚構造体
２０  支脚部
２１  支柱
２０１  支柱
２０２  筋交い
２２  連結部材
３  内部空間部
【図１】
0003693569.tif 000002
【図２】
0003693569.tif 000003
【図３】
0003693569.tif 000004
【図４】
0003693569.tif 000005
【図５】
0003693569.tif 000006
【図６】
0003693569.tif 000007
【図７】
0003693569.tif 000008
【図８】
0003693569.tif 000009